(57)【要約】      （修正有）【課題】接続端子のアースプレートとボトムシャシーの一体化により部品数を削減し取付作業の能率を向上する。【解決手段】基板２が配置されるボトムシャーシ３の端部から端子取付片４が立設され、端子取付片４にＳ端子１の接続部分が露見される円形の開口部４ａとネジ挿入孔４ｂとを穿設し、端子取付片４の左右縁に後側に向けて屈曲して延設された基板固定片４ｃを設け、基板２上に配置したＳ端子１の前面を端子取付片４に当接し、端子取付片４のネジ挿入孔４ｂに取付ネジ５を挿入し、取付ネジ５をＳ端子１のネジ穴６にねじ込んで固定し、Ｓ端子１をボトムシャーシ３の端子取付片４に取付固定し、端子取付片４の左右縁の後側に向けて屈曲して延設した基板固定片４ｃを基板２の上面に当接して基板２を固定し、基板固定片４ｃを基板２のＳ端子１のグランドパターンに接地させてアースを取るようにした。【選択図】図１
2005158587.tif 000002
【特許請求の範囲】
【請求項１】
ボトムシャーシ内に配置された基板上のＳ端子を取り付け固定するようにした接続端子の取付構造において、前記基板が配置される前記ボトムシャーシの端部から上向きに端子取付片が一体に立設され、この端子取付片には前記Ｓ端子の接続部分が露見される円形の開口部とネジ挿入孔とが穿設され、前記端子取付片の左右縁には後側に向けて屈曲して延設された基板固定片が設けられいて、前記基板上に配置されたＳ端子の前面をこの端子取付片に当接し、この端子取付片のネジ挿入孔に取付ネジを挿入し、この取付ネジを前記Ｓ端子のネジ穴にねじ込んで締め付け固定して、前記Ｓ端子を前記ボトムシャーシの端子取付片に取付固定するとともに、前記端子取付片の左右縁の後側に向けて屈曲して延設された基板固定片を前記基板の上面に当接して基板を固定するとともに、この基板固定片を前記基板のＳ端子のグランドパターンに接地させてアースを取るように構成したことを特徴とする接続端子の取付構造。
【請求項２】
ボトムシャーシ内に配置された基板上のスカート端子を取り付け固定するようにした接続端子の取付構造において、前記基板が配置される前記ボトムシャーシの端部から上向きに端子取付片が一体に立設され、この端子取付片には前記スカート端子の前面が露見される開口部とスカート端子の上面の左右一対の取付用突出部のネジ穴と対応する箇所にネジ挿入孔が左右一対穿設され、前記端子取付片の左右縁には後側に向けて屈曲して延設された基板固定片が設けられていて、前記基板上に配置されたスカート端子の前面側に前記端子取付片を位置させ、この端子取付片の左右一対のネジ挿入孔に取付ネジを挿入し、この取付ネジを前記スカート端子の取付用突出部のネジ穴にねじ込んで締め付け固定して、前記スカート端子を前記ボトムシャーシの端子取付片に取付固定するとともに、前記端子取付片の左右縁の後側に向けて屈曲して延設された基板固定片を前記基板の上面に当接して基板を固定するとともに、この基板固定片を前記基板のスカート端子のグランドパターンに接地させてアースを取るように構成したことを特徴とする接続端子の取付構造。
【請求項３】
ボトムシャーシ内に配置された基板上の接続端子を取り付け固定するようにした接続端子の取付構造において、前記基板が配置される前記ボトムシャーシの端部から上向きに端子取付片が一体に立設され、この端子取付片には、前記接続端子の少なくとも接続部分が露見される開口部とネジ挿入孔とが穿設され、前記端子取付片の左右縁には後側に向けて屈曲して延設された基板固定片が設けられていて、前記基板上に配置された前記接続端子の前面を前記端子取付片の開口部分に近接させ、前記ネジ挿入孔に取付ネジを挿入し、この取付ネジを前記接続端子のネジ穴にねじ込んで締め付け固定して、前記接続端子を前記ボトムシャーシの端子取付片に取付固定するとともに、この基板固定片を前記基板の接続端子のグランドパターンに接地させてアースを取るように構成するようにしたことを特徴とする接続端子の取付構造。
【発明の詳細な説明】
【技術分野】
【０００１】
本発明は、ボトムシャーシ内に配置された基板上の接続端子を取り付け固定するようにした接続端子の取付構造に関するものである。
【背景技術】
【０００２】
従来、この種の接続端子の取付構造は、接続端子がＳ端子である場合には、図７（ａ）（ｂ）、図８、図９に示すように、Ｓ端子１０１をボトムシャーシ１０２内に配置された基板１０３上に立設し、このＳ端子１０１の前面に別に設けたアースプレート１０４を接面させて、このアースプレート１０４をＳ端子１０１に取付ネジ１０５で取り付け固定するとともに、このアースプレート１０４の脚部を基板１０３に挿入して半田付けで固定し、アースプレート１０４を基板１０３のＳ端子１０１のグランドパターンに接地させて、Ｓ端子１０１を固定するとともにアースを取るようにしていた。
【０００３】
ところが、これにおいては、アースプレート１０４の成型にコストがかかってコスト高になるとともに、アースプレート１０４を基板１０３に取り付ける際に基板１０３を裏返しにして半田作業を行わなければならないために、この作業に手間がかかっていたという問題があった。
【０００４】
また、接続端子がスカート端子である場合には、図１０（ａ）（ｂ）、図１１、図１２に示すように、スカート端子１０６をボトムシャーシ１０２内に配置された基板１０３上に樹脂材１０７を介して立設し、このスカート端子１０６の前面側に別に設けた略Ｌ字形のアースプレート１０８をスカート端子１０６に取付ネジ１０５で取り付け固定するとともに、このアースプレート１０８の脚部を基板１０３に挿入して半田付けで固定し、アースプレート１０８を基板１０３のスカート端子１０６のグランドパターンに接地させて、スカート端子１０６を固定するとともにアースを取るようにしていた。
【０００５】
ところが、これにおいては、アースプレート１０８の成型にコストがかかってコスト高になるとともに、アースプレート１０８を基板１０３に取り付ける際に基板１０３を裏返しにして半田作業を行わなければならないために、この作業に手間がかかっていたという問題があった。
【０００６】
第１の従来技術を図１３（ａ）（ｂ）、図１４に示す。弾性舌片２１４ａを有するアース金具２１４が取着されたフロントパネル２１３と、開口部２１１ａと開口部２１１ａに近接して位置決め突起２１１ｂ及び取着ボス２１１ｃを有するシャーシ２１１と、基板２０２に複数個取着されたスリット２０１ａを有するマイク端子２０１と、マイク端子２０１が挿通される第１の透孔２１２ａと突起及びボスに対向して設けられた第２及び第３の透孔２１２ｂ、２１２ｃを有し、更に開口部に係止される舌片２１２ｄを備える取付金具２１２と、スリットに係合される止め金具２０４とで構成し、取付金具２１２にマイク端子２０１を止め金具２０４で固着してシャーシ２１１に取着した後フロントパネル２１３を組立てると、取付金具２１２に舌片２１２ｄが接触するようにする。（例えば、特許文献１参照）。
【０００７】
ところが、これにおいては、取付金具２１２を別に必要としていた。
【０００８】
第２の従来技術を図１５、図１６に示す。印刷基板３０１のアースパターン３１０をシャーシ３０２に接地板３１３及び取り付けビス３０７を介して接地するようにした印刷基板の接地装置において、接地板３１３は、その一端に、印刷基板３０１に係止される係合爪３１３ｂを折り曲げ形成し、その他端に、印刷基板３０１の端部に係止される係合爪３１３ａを係合爪３１３ａ、３１３ｂと同方向に折り曲げ形成し、されにそれらの中途部分に、各係合爪３１３ａ、３１３ｂの延設方向と反対方向に反り部の略中央部に設けたビス挿入孔３１４及び印刷基板３０１に設けたビス挿入孔３０５及び印刷基板３０１に設けたビス挿入孔３０５内に抗してシャーシ３０２に設けたビス螺合孔３０６に螺合して締め付け、その反り部の弾性力を利用して締め付け、その反り部の弾性力を利用してアースパターン３１０をシャーシ３０２に確実かつ安定状態に接地させるようにしたものである。（例えば、特許文献２参照）。
【０００９】
ところが、これにおいては、接地板３１３を介してアースを取っているとともに、印刷基板３０１についている部品に対して位置決めができなかった。
【００１０】
第３の従来技術を図１７（ａ）（ｂ）（ｃ）に示す。同軸コネクタ４０３の外筒と電気的に接続するアース板４０２において、前記外筒を嵌入させる略十字形状穴４０１を有するものである。
【００１１】
ところが、これにおいては、アース板４０２とシャーシとは別部材であった。
【特許文献１】特開平８−６９８４０号公報
【特許文献２】実開昭５７−１３６１７９号公報
【特許文献３】実開昭６１−５１６７７号公報
【発明の開示】
【発明が解決しようとする課題】
【００１２】
本発明は、上記従来の問題を解消し、接続端子のアースプレートとボトムシャシーを一体化させることができ、アースプレートを削減することによって、コストダウンを図ることができ、電波のシールド効果をアップさせることができ、取付作業の能率をアップすることができる接続端子の取付構造を提供することを目的としている。
【課題を解決するための手段】
【００１３】
本発明は、上記課題を解決するために提案されたものであって、請求項１に記載の発明は、ボトムシャーシ内に配置された基板上のＳ端子を取り付け固定するようにした接続端子の取付構造において、前記基板が配置される前記ボトムシャーシの端部から上向きに端子取付片が一体に立設され、この端子取付片には前記Ｓ端子の接続部分が露見される円形の開口部とネジ挿入孔とが穿設され、前記端子取付片の左右縁には後側に向けて屈曲して延設された基板固定片が設けられいて、前記基板上に配置されたＳ端子の前面をこの端子取付片に当接し、この端子取付片のネジ挿入孔に取付ネジを挿入し、この取付ネジを前記Ｓ端子のネジ穴にねじ込んで締め付け固定して、前記Ｓ端子を前記ボトムシャーシの端子取付片に取付固定するとともに、前記端子取付片の左右縁の後側に向けて屈曲して延設された基板固定片を前記基板の上面に当接して基板を固定するとともに、この基板固定片を前記基板のＳ端子のグランドパターンに接地させてアースを取るように構成したことを特徴としている。
【００１４】
請求項２に記載の発明は、ボトムシャーシ内に配置された基板上のスカート端子を取り付け固定するようにした接続端子の取付構造において、前記基板が配置される前記ボトムシャーシの端部から上向きに端子取付片が一体に立設され、この端子取付片には前記スカート端子の前面が露見される開口部とスカート端子の上面の左右一対の取付用突出部のネジ穴と対応する箇所にネジ挿入孔が左右一対穿設され、前記端子取付片の左右縁には後側に向けて屈曲して延設された基板固定片が設けられていて、前記基板上に配置されたスカート端子の前面側に前記端子取付片を位置させ、この端子取付片の左右一対のネジ挿入孔に取付ネジを挿入し、この取付ネジを前記スカート端子の取付用突出部のネジ穴にねじ込んで締め付け固定して、前記スカート端子を前記ボトムシャーシの端子取付片に取付固定するとともに、前記端子取付片の左右縁の後側に向けて屈曲して延設された基板固定片を前記基板の上面に当接して基板を固定するとともに、この基板固定片を前記基板のスカート端子のグランドパターンに接地させてアースを取るように構成したことを特徴としている。
【００１５】
請求項３に記載の発明は、ボトムシャーシ内に配置された基板上の接続端子を取り付け固定するようにした接続端子の取付構造において、前記基板が配置される前記ボトムシャーシの端部から上向きに端子取付片が一体に立設され、この端子取付片には、前記接続端子の少なくとも接続部分が露見される開口部とネジ挿入孔とが穿設され、前記端子取付片の左右縁には後側に向けて屈曲して延設された基板固定片が設けられていて、前記基板上に配置された前記接続端子の前面を前記端子取付片の開口部分に近接させ、前記ネジ挿入孔に取付ネジを挿入し、この取付ネジを前記接続端子のネジ穴にねじ込んで締め付け固定して、前記接続端子を前記ボトムシャーシの端子取付片に取付固定するとともに、この基板固定片を前記基板の接続端子のグランドパターンに接地させてアースを取るように構成するようにしたことを特徴としている。
【発明の効果】
【００１６】
請求項１に記載の発明によれば、Ｓ端子のアースプレートとボトムシャシーを一体化させることができ、アースプレートを削減することによって、コストダウンを図ることができ、電波のシールド効果をアップさせることができ、取付作業の能率をアップすることができる。また、ボトムシャーシの端部から上向きに立設された端子取付片の基板固定片で、基板の固定とＳ端子のアースを取ることを一度に行うことができる。
【００１７】
請求項２に記載の発明によれば、スカート端子のアースプレートとボトムシャシーを一体化させることができ、アースプレートを削減することによって、コストダウンを図ることができ、電波のシールド効果をアップさせることができ、取付作業の能率をアップすることができる。また、ボトムシャーシの端部から上向きに立設された端子取付片の基板固定片で、基板の固定とスカート端子のアースを取ることを一度に行うことができる。
【００１８】
請求項３に記載の発明によれば、接続端子のアースプレートとボトムシャシーを一体化させることができ、アースプレートを削減することによって、コストダウンを図ることができ、電波のシールド効果をアップさせることができ、取付作業の能率をアップすることができる。また、ボトムシャーシの端部から上向きに立設された端子取付片の基板固定片で、基板の固定と接続端子のアースを取ることを一度に行うことができる。
【発明を実施するための最良の形態】
【００１９】
以下、本発明に係る接続端子の取付構造の実施の形態について、図を参照しつつ説明する。
【００２０】
図１は本発明の接続端子の取付構造の第１実施形態を示し、（ａ）はその正面図、（ｂ）はその平面図、図２は同構造のボトムシャーシの正面図、図３は同構造の接続端子であるＳ端子の斜視図である。
【００２１】
この第１実施形態の接続端子の取付構造は、図１（ａ）（ｂ）、図２、図３に示すように、接続端子としてＳ端子１が用いられたものである。そして、基板２が配置されるボトムシャーシ３の端部から上向きに端子取付片４が一体に立設され、この端子取付片４にはＳ端子１の接続部分が露見される円形の開口部４ａとネジ挿入孔４ｂとが穿設されている。更に、端子取付片４の左右縁には後側に向けて屈曲して延設された基板固定片４ｃが設けられている。
【００２２】
そして、基板２上に配置されたＳ端子１の前面をこの端子取付片４に当接し、この端子取付片４のネジ挿入孔４ｂに取付ネジ５を挿入し、この取付ネジ５をＳ端子１のネジ穴６になじ込んで締め付け固定して、Ｓ端子１をボトムシャーシ３の端子取付片４に取付固定する。これとともに、端子取付片４を固定するとともに、この基板固定片４ｃを基板２のＳ端子１のグランドパターンに接地させてアースを取るようにしている。
【００２３】
この第１実施形態によれば、Ｓ端子１のアースプレートとボトムシャーシ３を一体化させることができ、アースプレートを削減することによって、コストダウンを図ることができ、電波のシールド効果をアップさせることができ、取付作業の能率をアップすることができる。また、ボトムシャーシ３の端部から上向きに立設された端子取付片４の基板固定片４ｃで、基板２の固定とＳ端子１のアースを取ることを一度に行うことができる。
【００２４】
図４は本発明の接続端子の取付構造の第２実施形態を示し、（ａ）はその正面図、（ｂ）はその平面図、図５は同構造のボトムシャーシの正面図、図６は同構造の接続端子であるスカート端子の斜視図である。
【００２５】
この第２実施形態の接続端子の取付構造は、図４、図５、図６に示すように、接続端子としてスカート端子７が用いられたものである。そして、基板２が配置されるボトムシャーシ３の端部から上向きに略コ字形の端子取付片８が一体に立接され、この端子取付片８にはスカート端子７の前面が露見される開口部８ａとスカート端子７の上面の左右一対の取付用突出部７ａ、７ａのネジ穴７ｂ、７ｂと対応する箇所にネジ挿入孔８ｂ、８ｂが左右一対穿設されている。更に、端子取付片８の左右縁には後側に向けて屈曲して延設された基板固定片８ｃ、８ｃが設けられている。
【００２６】
そして、基板２上に配置されたスカート端子７の前面側に端子取付片８を位置させ、この端子取付片８の左右一対のネジ挿入孔８ｂ、８ｂに取付ネジ５、５を挿入し、この取付ネジ５、５をスカート端子７の取付用突出部７ａ、７ａに取付固定する。これとともに、端子取付片８の左右縁の後側に向けて屈曲して延設された基板固定片８ｃ、８ｃを基板２の上面に当接して基板２を固定するとともに、この基板固定片８ｃを基板２のスカート端子７のグランドパターンに接地させてアースを取るようにしている。
【００２７】
この第２実施形態によれば、スカート端子７のアースプレートとボトムシャーシ３を一体化させることができ、アースプレートを削減することによって、コストダウンを図ることができ、電波のシールド効果をアップさせることができ、取付作業の能率をアップすることができる。また、ボトムシャーシ３の端部から上向きに立設された端子取付片４の基板固定片４ｃで、基板２の固定とスカート端子７のアースを取ることを一度に行うことができる。
【００２８】
尚、上記した第１実施形態、第２実施形態では、接続端子としてＳ端子１、スカート端子７について説明したが、本発明はこれに限らず、他の接続端子も適用することができるのは勿論である。
【図面の簡単な説明】
【００２９】
【図１】本発明の接続端子の取付構造の第１実施形態を示し、（ａ）はその正面図、（ｂ）はその平面図である。
【図２】同構造のボトムシャーシの正面図である。
【図３】同構造の接続端子であるＳ端子の斜視図である。
【図４】本発明の接続端子の取付構造の第２実施形態を示し、（ａ）はその正面図、（ｂ）はその平面図である。
【図５】同構造のボトムシャーシの正面図である。
【図６】同構造の接続端子であるスカート端子の斜視図である。
【図７】従来のＳ端子の取付構造を示し、（ａ）はその正面図、（ｂ）はその平面図である。
【図８】同構造のボトムシャーシの正面図である。
【図９】同構造のＳ端子の斜視図である。
【図１０】従来のスカート端子の取付構造を示し、（ａ）はその正面図、（ｂ）はその平面図である。
【図１１】同構造のボトムシャーシの正面図である。
【図１２】同構造のスカート端子の斜視図である。
【図１３】従来のマイク端子取付装置を示し、（ａ）はその分解斜視図、（ｂ）はその部分分解斜視図である。
【図１４】同装置の断面図である。
【図１５】従来の印刷基板の設置装置の部分分解斜視図である。
【図１６】同装置の組み立て状態を示す部分断面図である。
【図１７】従来のアース板を示し、（ａ）はそのアース板の正面図、（ｂ）はその同軸コネクタにアース板を取り付ける前の状態を示す分解側面図、（ｃ）はその同軸コネクタにアース板を取り付けた状態を示す側面図である。
【符号の説明】
【００３０】
１          Ｓ端子
２          基板
３          ボトムシャーシ
４          端子取付片
４ａ        円形の開口部
４ｂ        ネジ挿入孔
４ｃ        基板固定片
５          取付ネジ
６          ネジ穴
７          スカート端子
７ａ        取付用突出部
７ｂ        ネジ穴
８          端子取付片
８ａ        開口部
８ｂ        ネジ挿入孔
８ｃ        基板固定片
【図１】
2005158587.tif 000003
【図２】
2005158587.tif 000004
【図３】
2005158587.tif 000005
【図４】
2005158587.tif 000006
【図５】
2005158587.tif 000007
【図６】
2005158587.tif 000008
【図７】
2005158587.tif 000009
【図８】
2005158587.tif 000010
【図９】
2005158587.tif 000011
【図１０】
2005158587.tif 000012
【図１１】
2005158587.tif 000013
【図１２】
2005158587.tif 000014
【図１３】
2005158587.tif 000015
【図１４】
2005158587.tif 000016
【図１５】
2005158587.tif 000017
【図１６】
2005158587.tif 000018
【図１７】
2005158587.tif 000019